(57)【要約】　　　（修正有）【課題】盛土を十分に転圧でき、構築後の変形が少なく、排水性に優れる補強土擁壁を提供する。【解決手段】ブロック材１を設置し、該ブロック材の背面に、面状補強材２を前記ブロック材と所定の間隔をあけて連結し、該面状補強体を水平方向に敷設し、面状補強体２の上に側断面がＬ型状になるように形成した型枠５を設置し、該型枠の盛土側に、型枠シート５１の一端を敷設し、該型枠シートの上に盛土材７を所定の高さまで盛り上げ、型枠シート５１の他端を前記盛土材の上に巻き上げ、前記ブロック材と型枠との間に、粒状排水材８を充填し、適宜上記工程を繰り返して構築される補強土擁壁。【選択図】　　　図１
2004003317.tif 000002
【特許請求の範囲】
【請求項１】
盛土補強材を連結するブロック材を多段に積み上げて行う補強土擁壁であって、
複数のブロック材と、
各ブロック材の背面に、該ブロック材と所定の間隔をあけて水平方向に敷設した複数の面状補強材と、
各ブロック材の背面と各面状補強材の連結側の端部との間を連結する複数の連結手段と、
該面状補強材の連結側の端部の上に設置した側断面が略Ｌ形状を奏する複数の型枠と、
該型枠で盛土を自立させながら所定の高さまで盛って転圧した複数層の盛土材と、
前記ブロック材と前記型枠との間の間隙に充填した粒状排水材とよりなり、
複数のブロック材よりなるブロック層と、複数層の盛土材よりなる盛土層との間に、盛土層の土圧による変形を吸収し得る縦形の排水層を形成したことを特徴とする、
補強土擁壁。
【請求項２】
請求項１に記載する補強土擁壁において、各面状補強材間に水平排水材を敷設して、該水平排水材を介して縦形の排水層へ盛土層内の余剰水を排水し得るようにしたことを特徴とする、補強土擁壁。
【請求項３】
請求項１に記載の補強土擁壁において、ブロック材と面状補強材とを連結する連結手段が、ブロック材に掛け渡したベルト状の連結材と、前記ベルト状の連結材と面状補強材の環状部の重合部に挿通して連結する水平連結軸とにより構成することを特徴とする、補強土擁壁。
【発明の詳細な説明】
【０００１】
【発明の属する技術分野】
本発明は、補強土擁壁に関するものである。
【０００２】
【従来の技術】
従来、盛土の斜面を安定させるために設けられる補強土擁壁の構築方法として、所謂テールアルメ工法がある（図７）。
この所謂テールアルメ工法は、盛土をする際に、盛土ｄ内に埋設する水平補強材ｂを鋼製の連結材ｃにより連結したブロック材ａを、順次積み重ねて垂直方向に補強土擁壁を構築する工法である。
【０００３】
【本発明が解決しようとする課題】
しかし、前記した補強土擁壁の構築技術あっては、次のような問題点がある。
＜イ＞ブロック材ａの背面付近の盛土ｄを十分に転圧して締め固めることができない。
＜ロ＞土圧により、ブロック材ａと盛土ｄの境界に段差が生じ、水平補強材ｂおよびブロック材ａと水平補強材ｂとの連結部分に応力が集中し、これらの損壊に繋がる。
＜ハ＞外力として作用する土圧が、ブロック材ａの背面に直接伝達するためブロック材ａで構成する壁面がはらんで変形する。
＜ニ＞鋼製の連結材ｃは、土圧による盛土層の変形に対し、その材質から追従性がないこと、及び錆びやすいことから耐久性が十分でない。
【０００４】
【本発明の目的】
本発明は上記したような従来の問題を解決するためになされたもので、盛土を十分に転圧でき、構築後の変形が少なく、排水性に優れる補強土擁壁を提供することを目的とする。
【０００５】
【課題を解決するための手段】
請求項１に係る発明は、盛土補強材を連結するブロック材を多段に積み上げて行う補強土擁壁であって、複数のブロック材と、各ブロック材の背面に、該ブロック材と所定の間隔をあけて水平方向に敷設した複数の面状補強材と、各ブロック材の背面と各面状補強材の連結側の端部との間を連結する複数の連結手段と、該面状補強材の連結側の端部の上に設置した側断面が略Ｌ形状を奏する複数の型枠と、該型枠で盛土を自立させながら所定の高さまで盛って転圧した複数層の盛土材と、前記ブロック材と前記型枠との間の間隙に充填した粒状排水材とよりなり、複数のブロック材よりなるブロック層と、複数層の盛土材よりなる盛土層との間に、盛土層の土圧による変形を吸収し得る縦形の排水層を形成したことを特徴とする、補強土擁壁である。
【０００６】
請求項２に係る発明は、請求項１に記載する補強土擁壁において、各面状補強材間に水平排水材を敷設して、該水平排水材を介して縦形の排水層へ盛土層内の余剰水を排水し得るようにしたことを特徴とする、補強土擁壁である。
【０００７】
請求項３に係る発明は、請求項１に記載の補強土擁壁において、ブロック材と面状補強材とを連結する連結手段が、ブロック材に掛け渡したベルト状の連結材と、前記ベルト状の連結材と面状補強材の環状部の重合部に挿通して連結する水平連結軸とにより構成することを特徴とする、補強土擁壁である。
【０００８】
【本発明の実施の態様】
以下図面を参照しながら本発明に係る実施の形態について説明する。
まず、本発明の方法に使用する部材について説明する。
【０００９】
＜イ＞ブロック材（図２）
ブロック材１は、補強土擁壁の外壁を構成する部材である。このブロック材１は、コンクリート等により種々の形状に形成された部材を利用する。
特に、ブロック材１の背面に面状補強材２と連結するための連結部１１を、縦状に突出させておくことが好ましい。このブロック材１の連結部１１には、連結材３を挿通するための挿通孔１１１を所定数形成する。
【００１０】
＜ロ＞面状補強材（図２）
面状補強材２は、盛土層内に埋設し、土圧に対する主的な補強材となる部材である。
この面状補強材２は、ジオグリットやジオテキスタイルなどの撓性を有する公知の部材を利用する。この面状補強材２は、ブロック材１と連結する側の端部に、ブロック材１の背面と平行かつ水平に水平連結軸４を挿通することができる環状部を有するように形成する。
【００１１】
＜ハ＞連結材および水平連結軸（図２）
連結材３および水平連結軸４は、ブロック材１と面状補強材２との連結に使用する部材である。この連結材３は、繊維材をベルト状に形成した公知の部材を利用する。この水平連結軸４は、可撓性を有する公知の管類や棒体を利用する。特に、ＦＲＰ等の可撓性および耐腐食性のある材質の管類や棒体を利用することが好ましい。この連結材３および水平連結軸４を組み合わせて利用することにより、錆びることがなく、鋼製の部材を使用した連結よりも土圧の沈下に追従できる連結を実現できる。
【００１２】
＜ニ＞型枠（図２）
型枠５は、砕石層の型枠となる一方で盛土層についての型枠にもなり、盛土層を自立させ、砕石層と盛土層との境界となる部材である。この型枠５は、枠部と底部とから構成し、側断面がＬ形状となるように形成する。この型枠５は、板状の網体を公知の方法により上記形状を形成するように加工して製造する。
【００１３】
＜ホ＞型枠シート（図２，図３）
この型枠シート５１は、型枠５からの盛土材７の流出を阻止し、かつ土圧に対する補助的な補強材となる部材である。
この型枠シート５１は、型枠５からの盛土材７の流出を阻止できる高分子材料（不織布、織布）等のシート類を利用する。
【００１４】
＜ヘ＞水平排水材（図１，図５）
水平排水材６は、面状補強材２の間に複数の盛土層を設ける場合に、各盛土層の間に布設する部材である。
この水平排水材６として例えば、不織布や織布などの公知の部材を利用する。
【００１５】
＜ト＞粒状排水材
粒状排水材８は、ブロック材１と型枠５により形成される空間に充填する部材であり、充填後に排水性を有し、かつ盛土の変形を吸収し得る部材を利用する。特に、単粒度砕石あるいは粒状の人工材料（ガラスリサイクル品、発泡スチロール等）を用いるのが望ましい。
【００１６】
次に、本発明の補強土擁壁の構築方法について説明する。
【００１７】
＜イ＞ブロック材の設置等を行う工程
事前に構築した基礎の上の所定位置に、ブロック材１を、盛土側に連結部１１を向けて設置し固定する。このブロック材１の背面に、面状補強材２を、ブロック材１と所定の間隔をあけて敷設する（図２，図３）。
【００１８】
＜ロ＞ブロック材と面状補強材との連結（図２）
ブロック材１の連結部１１の挿通孔１１１に、連結材３を挿し通す。面状補強材２の環状部に、連結材３の端部を設置するための切れ目を、必要数入れる。この面状補強材２の環状部の切れ目に、連結材３の端部を設置する。当該環状部および連結材３の端部に、水平連結軸４を、ブロック材１の背面に対し平行かつ水平に挿し通すことにより連結を完了する。なお、ブロック材１と面状補強材２の連結は、上記の方法に限定するものではなく、公知の方法により連結する場合もある。
【００１９】
＜ハ＞盛土工程
面状補強材２を水平に敷設する。この面状補強材２の連結側の端部の上に、型枠５を設置する。
この型枠５は、枠部の外側が、ブロック材１側に向くように設置する。この型枠５の盛土側に、型枠シート５１の一端を敷設する（図３）。
この型枠シート５１の上に、所定の盛土材７を、次の面状補強材２を敷設する所定の高さまで盛り上げ、十分に転圧する。型枠シート５１の他端を盛土材７の上に巻き上げる（図４）。
この結果、面状補強材２間の盛土層を自立させることができると共に、十分に盛土材７を転圧しながら盛土層を積層することができる。
【００２０】
また、面状補強材２の間に複数の盛土層を設ける場合には、各盛土層の間に水平排水材６を布設する場合もある（図１，図５，図６）。
この場合には、型枠シート５１の他端を盛土材７の上に巻き上げた後、その上に、水平排水材６を水平に布設し、水平排水材６の端部を排水層に落としこむ。そして、上記盛土工程を繰り返して次層を構築する。
この結果、盛土層内に浸透した雨水等が、面状補強材２からだけでなく水平排水材６からも排水層に流出されることにより、構築した補強土擁壁の排水性が更に向上する。
【００２１】
＜ニ＞粒状排水材の充填工程
ブロック材１と型枠５との間に、次の面状補強材２を設置する高さまで、粒状排水材８を充填する（図６）。
したがって、盛土層とブロック層との間に縦形の排水層を形成することができる（図１）。
この排水層は、盛土層の土圧による変形を吸収し、ブロック層にかかる土圧を極力小さくすることができる。また、盛土層に浸透した雨水等の壁外への排水を促進することができる。
【００２２】
なお、粒状排水材８の充填工程は、各盛土層を構築する毎、複数の盛土層を構築する毎、又は全ての盛土層を構築した後の何れに行っても良い。
【００２３】
＜ホ＞補強土擁壁の完成
上記工程を適宜繰り返し、所定の高さまで施工した後、コンクリート打設等の天端処理をして補強土擁壁が完成する（図１）。
【００２４】
【本発明の効果】
本発明は以上説明したようになるから次のような効果を得ることができる。
＜イ＞ブロック材から間隔をあけて盛土の施工ができる。この結果、ブロック材を破損させることなく、十分に盛土材を転圧して締め固めることができる。
＜ロ＞面状補強材間の盛土層を自立させ、かつ、十分に盛土材を転圧しながら盛土層を積層することができる。
したがって、後々の盛土層の変形をなくすことができる。この結果、土圧の沈下による補強材およびブロック材と面状補強材との連結部分への応力の集中を微小にすることができる。
＜ハ＞盛土層とブロック層との間に排水層を形成することができる。この結果、盛土層の土圧による変形を吸収し直接ブロック層に土圧がかかることがないため、ブロック層にかかる土圧を極力小さくすることができる。
また、盛土層に浸透した雨水等の壁外への排水を効率良く行うことができる。＜ニ＞各面状補強材間に水平排水材を敷設する場合には、盛土層とブロック層の間に形成される排水層と相俟って盛土層内に浸透した雨水等の壁外への排水性が飛躍的に向上する。
＜ホ＞ブロック材と面状補強材の連結地手段として、ベルト状の連結材と水平連結軸の組み合わせを使用すれば、従来における鋼製の連結具のように錆びることがなく、かつ鋼製の連結具では実現し得なかった土圧による盛土層の変化に対する追従性を有する連結を実現できる。
【図面の簡単な説明】
【図１】本発明の補強土擁壁の説明図
【図２】補強土擁壁の要部拡大図
【図３】補強土擁壁の構築方法の説明図
【図４】補強土擁壁の構築方法の説明図
【図５】補強土擁壁の構築方法の説明図
【図６】補強土擁壁の構築方法の説明図
【図７】従来技術の説明図
【符号の説明】
１・・・・ブロック材
１１・・・連結部
１１１・・挿通孔
２・・・・面状補強材
３・・・・連結材
４・・・・水平連結軸
５・・・・型枠
５１・・・型枠シート
６・・・・水平排水材
７・・・・盛土材
８・・・・粒状排水材
ａ・・・・ブロック材
ｂ・・・・水平補強材
ｃ・・・・連結材
ｄ・・・・盛土
【図１】
2004003317.tif 000003
【図２】
2004003317.tif 000004
【図３】
2004003317.tif 000005
【図４】
2004003317.tif 000006
【図５】
2004003317.tif 000007
【図６】
2004003317.tif 000008
【図７】
2004003317.tif 000009